(57)【要約】【課題】プロジェクタ等の投写型画像表示装置において、電源投入時の初期画面が煩わしい場合がある。【解決手段】装置本体の電源投入時に第２の映像を表示せずに第１の映像を表示する第１のモードと、装置本体の電源投入時に、まず第２の映像を表示し、設定された条件が満足された時に第１の映像に切り替えて表示する第２のモードとを有し、第１のモード又は第２のモードが選択可能である。【選択図】　図１
2004093893.tif 000002
【特許請求の範囲】
【請求項１】
外部からの映像信号を入力する映像入力手段と、予め設定された映像信号を出力する映像生成手段と、前記映像入力手段からの第１の映像、又は前記映像生成手段からの第２の映像を投射する投射型画像表示装置であって、
装置本体の電源投入時に第２の映像を表示せずに第１の映像を表示する第１のモードと、
装置本体の電源投入時に、まず第２の映像を表示し、設定された条件が満足された時に第１の映像に切り替えて表示する第２のモードとを有し、
前記第１のモード又は前記第２のモードが選択可能であることを特徴とする投射型画像表示装置。
【請求項２】
前記条件は、電源投入時からカウントされるタイマーカウンタの値が設定値と一致した時に満足され、この設定値を変更可能な設定値変更手段を有することを特徴とする請求項１に記載の投射型画像表示装置。
【請求項３】
前記設定値変更手段は、装置本体に設けられた操作手段又は、遠隔操作手段における表示画面上の操作に応じて前記設定値を変更可能であることを特徴とする請求項２に記載の投射型画像表示装置。
【請求項４】
前記設定値変更手段は、装置本体に設けられた操作部材の操作に応じて前記設定値を変更可能であることを特徴とする請求項２に記載の投射型画像表示装置。
【発明の詳細な説明】
【０００１】
【発明の属する技術分野】
本発明はテレビ、ＣＲＴディスプレイ、液晶ディスプレイ、プラズマディスプレイ、プロジェクタ等の表示装置に関するものである。
【０００２】
【従来の技術】
従来、上記の表示装置のうち、特に投射型画像表示装置（以下プロジェクタ）では、電源投入時に入力信号以外の所定の映像画面（初期画面）が表示される機能を有するものがある。例えば、ブルーバック画面表示、メーカーのロゴ表示、入力映像が表示されるまでの持ち時間表示等である。
【０００３】
この主の目的は、プロジェクタに用いられる光源の明るさが電源投入時に不十分なので、光源が安定するまで入力画面を非表示にし、その状況をユーザに知らせるためである。
【０００４】
現在、データプロジェクタなどによく用いられる超高圧水銀ランプなどの放電ランプは、小型ながら高光度である反面、点灯後、所定の時間を要して次第に光度を増していく性質があり、明るい安定光度に達するまでに数十秒を要してしまうという欠点がある。
【０００５】
【発明が解決しようとする課題】
しかしながら、一方ではこの初期画面が煩わしいと感じるユーザも多く、余計な機能であると感じることもある。また、初期画面は必要であるが、現状の初期画面設定では長すぎると感じることもある。
【０００６】
本発明は、上述した問題点に鑑み、初期画面を表示するかどうかをユーザが自由に選択出来るようにすると同時に、初期画面表示を選択した場合でも、ユーザ各々が感じる適切な表示時間を設定可能にして、いろいろなユーザの要望に細かく応えられるように改善された表示装置を提供するものである。
【０００７】
【課題を解決するための手段】
本発明は、外部からの映像信号を入力する映像入力手段と、予め設定された映像信号を出力する映像生成手段と、映像入力手段からの第１の映像、又は映像生成手段からの第２の映像を投射する投射型画像表示装置であって、装置本体の電源投入時に第２の映像を表示せずに第１の映像を表示する第１のモードと、装置本体の電源投入時に、まず第２の映像を表示し、設定された条件が満足された時に第１の映像に切り替えて表示する第２のモードとを有し、第１のモード又は第２のモードが選択可能であることを特徴とする。
【０００８】
このように任意に第１のモード又は第２のモードを選択するようにすることで、第２の映像（初期画面）を表示させずに第１の映像を直接表示させたり、第２の映像を表示させてから第１の映像を表示させることができる。これにより、画面表示に関するユーザの要望に対応させることができる。
【０００９】
ここで、条件は、電源投入時からカウントされるタイマーカウンタの値が設定値と一致した時に満足され、この設定値を変更可能な設定値変更手段を有するようにしてもよい。
【００１０】
そして、設定値変更手段は、装置本体に設けられた操作手段又は、遠隔操作手段における表示画面上の操作に応じて設定値を変更できるようにすることができる。また、装置本体に設けられた操作部材の操作に応じて設定値を変更するようにしてもよい。
【００１１】
【発明の実施の形態】
（第１実施形態）
図１は本発明の第１実施形態である投写型画像表示装置の基本的構成を示すブロック図である。
【００１２】
１はＣＲＴや液晶フラットパネル等の表示部であり、入力された映像信号等を表示する。３１は映像入力部であり、外部からの映像信号３１ｉを表示装置内部に取り込む。４１は映像信号生成回路であり、所定映像データを記憶したメモリ５１から情報を読み出すことによって、所定の映像信号を発生する。
【００１３】
７２は映像信号選択部（ビデオスイッチ）であり、映像入力部３１からの映像信号と映像信号生成回路４１からの映像信号を選択して出力する。
【００１４】
２１はマイコン等のコントローラであり、電源スイッチ２２の操作やタイマカウンタ等の状態に基づいてビデオスイッチ７２切り替える。
【００１５】
２３はリモコン受光センサであり、装置外部の赤外リモコンから出力されるリモートコントロール信号を受信し、コントローラ２１で解読され、各制御動作が行われる。電源のオン／オフを含み、表示装置の一通りの制御はこの赤外リモコンによって実行可能である。
【００１６】
２４はキーパネルであり、表示装置における制御動作の幾つかはこのキーパネル上でのキー操作で実施することが出来る。後述するメニュー設定は、赤外リモコンによる操作又は、キーパネルでのキー操作によって行うことが出来る。
【００１７】
メモリ５１や映像信号生成回路４１を用いて生成される所定映像の例について図３ａを用いて説明する。
【００１８】
図３ａの左の例はブルーバックにメーカロゴとメッセージを表示させたものである。図３ａの右の例は同じくブルーバックにメーカロゴの表示であり、更に残り何秒で入力画面が表示可能になるかという数値を表示させている。簡単な例としては、単純なブルーバック表示であればメモリ５１は不要となる。
【００１９】
２９は時間設定メモリであり、不揮発性である。後述のメニュー操作によって初期画面の表示時間が格納される。
【００２０】
以下に、図４ａのフローチャートを用いて具体的な処理手順を説明する。本フローチャートは電源投入時における初期画面表示に関する処理である。
【００２１】
この説明で関連するモードは、電源投入時に初期画面を所定時間表示してから入力画面に切り替える「初期画面表示モード」と、初期画面を表示せずに即座に入力画面を表示する「初期画面非表示モード」である。
【００２２】
処理を以下に説明する。
【００２３】
電源投入によって、まず、ステップＳ１０１において初期画面のモード設定が「表示モード」であるか「非表示モード」であるかをチェックする。「非表示モード」であれば、直接、入力画面表示にビデオスイッチを切り替える。
【００２４】
「表示モード」であれば、以下の処理を行う。
【００２５】
まず、ステップＳ１０２において初期画面表示時間の読み出しを行う。メニュー操作等で予め時間設定メモリ２９に格納されていた設定時間データを読み出し、その値をカウントダウンレジスタに設定する。
【００２６】
ステップＳ１０３において、一定の周期でカウントダウンを行い、所定のカウント量に達したことをもって（ステップＳ１０４）、入力画面表示にビデオスイッチを切り替える（ステップＳ１０５）。
【００２７】
以上で、フローは完了である。
【００２８】
次に、初期画面の表示時間設定の仕方について図３ｂを用いて説明する。図３ｂは、メニューのひとつの項目である初期画面設定の絵柄である。
【００２９】
この図では、初期画面設定として４つあり、「オフ」、「３秒」、「６秒」、「１５秒」の４つである。「オフ」は初期画面を非表示にする設定であり、初期画面非表示モードに設定される。それ以外は初期画面表示モードに設定され、同時に各々の秒数に対応する数値が設定値メモリに格納される。
【００３０】
次に、別の処理フローとメニュー設定について説明する。
【００３１】
図４ｂは、このフローチャートであり、設定メニューは図３ｃに示す状態となっている。この処理の仕方では、非表示モードといった概念は無く、表示時間がゼロの設定の時に非表示に対応することになる。
【００３２】
以下、図４ｂのフローチャートについて説明である。
【００３３】
電源投入によって、まず、ステップＳ２０１において初期画面表示時間の読み込みを行う。メニュー操作等で予め時間設定メモリに格納されていた設定時間データを読み出し、その値をカウントダウンレジスタに設定する。
【００３４】
ここでの処理ではまず、ステップＳ２０２においてカウント完了かどうかをチェックする。カウント値がゼロであれば即座にステップＳ２０４の入力画面にうつる。
【００３５】
カウント値がゼロでなければ、ステップＳ２０３において一定の周期でカウントダウンを開始し、所定のカウント量に達したことをもって入力画面表示処理にうつる。
【００３６】
以上でフローは完了である。
次に、ここで説明した処理フローに対応したメニュー操作を図３ｃに示す絵柄を用いて説明する。図３ｃに示すものはスライドバー方式のインターフェイスであり、キー操作等で視覚的に数値を設定することが出来るものである。
【００３７】
一番左端に指標を設定した場合は、設定値はゼロであり、「非表示」の選択と同等の機能をすることになる。
【００３８】
（第２実施形態）
図２は本発明の第２実施形態である投写型画像表示装置におけるブロック図である。
【００３９】
第１実施形態と異なるのは、時間設定をメニュー等でソフト的に行うのではなく、ボリューム等の設定部材を装置外装に装備して、この部材の手動操作によって設定するようにしていることである。
【００４０】
電源スイッチ２２の信号はコントローラ２１に伝達されると同時に、タイマ回路２５に伝達されて、タイマカウント動作を開始するトリガとなる。
【００４１】
コントローラ２１はこの信号によって、まずビデオスイッチ７２の入力を映像生成側に切り替えることによって初期画面の表示を開始する。
【００４２】
２６はボリューム等の数量設定部であり、時間のアナログ的な選択が行える。これは回転ツマミか、スライドバーといった形態で装置外装に装着されており、外装に刻まれている「オフ、１０、２０」といった数値と指標を合わせることによって、数量設定が可能となっている。数量設定部２６によってタイマ２５にはカウントすべき時間の設定がなされている。
【００４３】
電源スイッチ２２の操作がトリガとなって、予め設定されていた時間カウントを開始するが、時間カウント値がゼロの場合は、即座に完了信号をコントローラ２１に伝達し、コントローラ２１はビデオスイッチ７２の入力を映像入力部３１側に切り替えて、入力信号を表示するようにする。
【００４４】
電源投入と同時に初期画面の表示に設定されるが、更に同時に入力画面に切り替わるため、実質的に初期画面が非表示となる。
【００４５】
時間カウント値がゼロでなかった場合は、そのカウントが完了した時点で完了信号をコントローラ２１に伝達し、コントローラ２１はビデオスイッチ７２の入力を映像入力部３１側に切り替えて、入力信号を表示するようにする。
【００４６】
【発明の効果】
本願請求項１に記載の発明によれば、ユーザは電源投入時の初期画面の「表示」、「非表示」が任意に選択可能となる。
【００４７】
本願請求項２に記載の発明によれば、上述した効果に加えて、「表示」を選択した場合はこの設定時間が任意に選択可能となる。
【００４８】
本願請求項３に記載の発明によれば、上記設定や選択が表示画面上でのメニュー操作によって行うことが可能となる。
【００４９】
本願請求項４に記載の発明によれば、上記設定や選択が装置外装部材での手動操作によって行うことが可能となる。
【図面の簡単な説明】
【図１】本発明の第１実施形態におけるブロック構成図。
【図２】本発明の第２実施形態におけるブロック構成図。
【図３】本実施形態における表示画面とメニュー画面。
【図４】本実施形態における処理動作を示すフローチャート。
【符号の説明】
１　　表示部
２１　コントローラ
２２　電源スイッチ
２３　リモコン受光センサ
２４　キーパネル
３１　映像入力部
４１　映像信号生成回路
５１　メモリ
７２　ビデオスイッチ
【図１】
2004093893.tif 000003
【図２】
2004093893.tif 000004
【図３】
2004093893.tif 000005
【図４】
2004093893.tif 000006